(57)【要約】【課題】  本発明は表示装置に係わり、より詳細には印刷回路基板の実装空間が十分確保可能な表示装置に関する。【解決手段】  表示装置において、印刷回路基板は、ベース基板、フリップチップ、及び導電性接着部材を備える。フリップチップは、ベース基板の第１面とフリップチップとの間に配される接着部材によって、ベース基板の第１面上に実装される。第１表示パネルは、ベース基板の第１面と反対の側にある第２面上に具備され、第２表示パネルはフリップチップと共に第１面上に実装される。このような構成により、印刷回路基板に実装されるチップサイズが減少され、実装に必要な面積が低減され、その結果として、印刷回路基板に、第２表示パネルを実装可能な空間を十分に確保することができる。【選択図】  図１
2006215516.tif 000002
【特許請求の範囲】
【請求項１】
ベース基板と、前記ベース基板上に具備され、制御信号を出力するフリップチップと、前記フリップチップと前記ベース基板との間に介在する接着部材とを含む印刷回路基板と、
前記制御信号に応答して駆動信号を出力する駆動回路と、
前記駆動信号に応答して画像を表示する表示パネルと、
を備えることを特徴とする表示装置。
【請求項２】
前記フリップチップは、
それぞれが第１間隔だけ隔てて前記フリップチップの縁部に配列され、前記制御信号を出力する複数の第１出力パッドと、
それぞれが前記第１間隔より大きい間隔だけ隔てて前記複数の第１出力パッドより内側に配列され、前記複数の第１出力パッドと電気的に接続された複数の第２出力パッドと、
を備えることを特徴とする請求項１記載の表示装置。
【請求項３】
前記フリップチップは、
前記複数の第１出力パッドと前記複数の第２出力パッドとを電気的に接続させる複数の再配置ラインと、
前記複数の第２出力パッド上に具備され、所定の高さだけ突出した複数のバンプと、
を備えることを特徴とする請求項２記載の表示装置。
【請求項４】
前記複数のバンプは金を含む、ことを特徴とする請求項３記載の表示装置。
【請求項５】
前記フリップチップは、前記複数の第１出力パッド、前記複数の第２出力パッド、及び前記複数の再配置ラインをカバーする絶縁膜を更に含み、
前記絶縁膜は、前記複数のバンプを露出させるための複数のコンタクトホールを備える、
ことを特徴とする請求項３記載の表示装置。
【請求項６】
前記ベース基板は、前記フリップチップが実装される領域内に具備された複数の入力パッドを含み、
前記複数の入力パッドは、前記接着部材を通じて前記複数のバンプと電気的に接続され、前記制御信号の入力を受ける、
ことを特徴とする請求項３記載の表示装置。
【請求項７】
前記接着部材は、前記フリップチップを前記ベース基板上に固定させる熱硬化性樹脂と、前記熱硬化性樹脂内に含有され、前記フリップチップと前記ベース基板とを電気的に接続させる複数の導電粒子とを備える異方性導電フィルムを含む、ことを特徴とする請求項６記載の表示装置。
【請求項８】
前記接着部材は、
金属膜と、
熱と圧力とが加えられることによって前記フリップチップを前記ベース基板上に固定させるエポキシ樹脂と、
を含むことを特徴とする請求項６記載の表示装置。
【請求項９】
前記金属膜は、スズが前記複数の入力パッド又は前記複数のバンプの上面にメッキされることによって形成された金属膜である、ことを特徴とする請求項８記載の表示装置。
【請求項１０】
前記フリップチップはグラフィックコントロールチップである、ことを特徴とする請求項１ないし９の何れかに記載の表示装置。
【請求項１１】
ベース基板と、前記ベース基板の第１面上に実装され、制御信号を出力するフリップチップと、前記フリップチップと前記ベース基板との間に介在する接着部材とを含む印刷回路基板と、
前記制御信号に応答して第１駆動信号および第２駆動信号を出力する駆動回路と、
前記ベース基板の第１面と反対の側の第２面上に具備され、前記第１駆動信号に応答して画像を表示する第１表示パネルと、
前記ベース基板の前記第１面上に具備され、前記第２駆動信号に応答して画像を表示する第２表示パネルと、
を備えることを特徴とする表示装置。
【請求項１２】
前記フリップチップは、
それぞれが第１間隔だけ隔てて前記フリップチップの縁部に配列され、前記制御信号を出力する複数の第１出力パッドと、
それぞれが前記第１間隔より大きい第２間隔だけ隔てて前記複数の第１出力パッドより内側に配列される複数の第２出力パッドと、
前記複数の第１出力パッドと前記複数の第２出力パッドとを電気的に接続させる複数の再配置ラインと、
前記複数の第２出力パッド上に具備され、所定の高さだけ突出した複数のバンプと、
を備えることを特徴とする請求項１１記載の表示装置。
【請求項１３】
前記ベース基板は、前記フリップチップが実装される領域内に具備された複数の入力パッドを含み、
前記複数の入力パッドは、前記接着部材を通じて前記複数のバンプと電気的に接続されて前記制御信号の入力を受ける、
ことを特徴とする請求項１２記載の表示装置。
【請求項１４】
前記接着部材は、前記フリップチップを前記ベース基板上に固定させる熱硬化性樹脂と、前記熱硬化性樹脂内に含有されて前記フリップチップと前記ベース基板とを電気的に接続させる複数の導電粒子とを備える異方性導電フィルムを含む、
ことを特徴とする請求項１３記載の表示装置。
【請求項１５】
前記接着部材は、
前記複数の入力パッド又は前記バンプの上面にメッキされた金属膜と、
熱と圧力とが加えられることによって前記フリップチップを前記ベース基板上に固定させるエポキシ樹脂と、
を含む、
ことを特徴とする請求項１３記載の表示装置。
【請求項１６】
前記フリップチップはグラフィックコントロールチップである、ことを特徴とする請求項１１ないし１５の何れかに記載の表示装置。
【請求項１７】
前記駆動回路は、
前記制御信号のうちの第１データ制御信号に応答して、前記第１駆動信号のうちの第１データ信号を出力する第１データ駆動回路と、
前記制御信号のうちの第１ゲート制御信号に応答して、前記第１駆動信号のうちの第１ゲート信号を出力する第１ゲート駆動回路と、
前記制御信号のうちの第２データ制御信号に応答して、前記第２駆動信号のうちの第２データ信号を出力する第２データ駆動回路と、
前記制御信号のうちの第２ゲート制御信号に応答して、前記第２駆動信号のうちの第２ゲート信号を出力する第２ゲート駆動回路と、
を含む、
ことを特徴とする請求項１１ないし１６の何れかに記載の表示装置。
【請求項１８】
前記第１データ駆動回路及び前記第２データ駆動回路はチップ内に装備され、前記チップは前記第１表示パネル及び前記第２表示パネル上にそれぞれ具備され、
前記第１ゲート駆動回路及び前記第２ゲート駆動回路は、前記第１表示パネル及び前記第２表示パネルにそれぞれ装備される、
ことを特徴とする請求項１７記載の表示装置。
【請求項１９】
前記第１表示パネルと前記印刷回路基板とを電気的に接続させるための第１可撓性回路基板と、
前記第２表示パネルと前記印刷回路基板とを電気的に接続させるための第２可撓性回路基板と、
を更に含むことを特徴とする請求項１１ないし１８の何れかに記載の表示装置。
【請求項２０】
ベース基板と、前記ベース基板の第１面上に実装され、第１制御信号及び第２制御信号を出力するフリップチップと、前記フリップチップと前記ベース基板との間に介在する接着部材とを備える印刷回路基板と、
前記第１制御信号に応答して第１駆動信号および第２駆動信号を出力する駆動回路と、
前記ベース基板の前記第１面と隣接し、前記第１駆動信号に応答して画像を表示する第１表示パネルと、
前記第１面と反対の側にある前記ベース基板の第２面上に具備され、前記第２駆動信号に応答して画像を表示する第２表示パネルと、
前記ベース基板の前記第２面上に具備され、前記第２制御信号に応答して動作するカメラ部と、
を備えることを特徴とする表示装置。
【請求項２１】
前記第１表示パネルに第１光を提供する第１光源と、
前記第２表示パネルに第２光を提供する第２光源と、
を更に含み、
前記第２光源は、前記ベース基板の前記第１面上に実装される、
ことを特徴とする請求項２０記載の表示装置。
【発明の詳細な説明】
【技術分野】
【０００１】
本発明は、表示装置に係わり、より詳細には印刷回路基板の実装空間を十分確保可能な表示装置に関する。
液晶表示装置は、駆動信号に応答して画像を表示する液晶表示パネル、及び液晶表示パネルを駆動するための駆動信号を出力する駆動回路を含む。
【背景技術】
【０００２】
一般的に、駆動回路は、データ信号を出力するデータ駆動回路と、ゲート信号を出力するゲート駆動回路とを備える。データ駆動回路とゲート駆動回路とは、各種の制御信号に応答して、適切な時期に液晶表示パネルにデータ信号とゲート信号とをそれぞれ提供する。
【０００３】
液晶表示装置は、データ駆動回路とゲート駆動回路とに各種の制御信号を提供するための回路が具備される印刷回路基板を更に具備する。印刷回路基板上の各種の素子のうち、データ駆動回路とゲート駆動回路に制御信号を提供するためのコントロールチップが一番大きいサイズを有する。
【０００４】
従来の液晶表示装置において、コントロールチップは、はんだボール（ｓｏｌｄｅｒ  ｂａｌｌ）を用いるボールグリッドアレイ（Ｂａｌｌ  Ｇｒｉｄ  Ａｒｒａｙ）方式で印刷回路基板に実装される。このようなボールグリッドアレイ方式でコントロールチップを実装する場合、はんだ付けのための空間が必要であるので、コントロールチップのサイズが全体的に大きくなる。コントロールチップのサイズが大きくなるほど、印刷回路基板の残りの実装空間は減少する。
【０００５】
また、デュアルパネル型液晶表示装置やカメラが装着された液晶表示装置の場合、コントロールチップに多様な機能が追加されることによってチップサイズが更に増加するので、印刷回路基板に実装空間を十分に確保可能なチップ実装技術が要求される。
【発明の開示】
【発明が解決しようとする課題】
【０００６】
本発明の目的は、チップサイズを減少させることによって印刷回路基板の実装空間を十分に確保する表示装置を提供することにある。
【課題を解決するための手段】
【０００７】
本発明の一つの特徴による表示装置は、印刷回路基板、駆動回路、及び表示パネルを含む。印刷回路基板は、ベース基板、フリップチップ、及び接着部材を備え、制御信号を出力する。フリップチップは、ベース基板との間に介在する接着部材によってベース基板上に固定される。
駆動回路は、制御信号に応答して駆動信号を出力し、表示パネルは駆動信号に応答して画像を表示する。
【０００８】
本発明の他の特徴による表示装置は、印刷回路基板、駆動回路、第１表示パネル及び第２表示パネルを含む。印刷回路基板は、ベース基板、フリップチップ、及び接着部材を備え、制御信号を出力する。フリップチップは、ベース基板との間に介在する接着部材によってベース基板の第１面上に固定される。
【０００９】
駆動回路は、制御信号に応答して第１駆動信号又は第２駆動信号を出力する。第１表示パネルは、ベース基板の第１面と反対の側の第２面上に具備され、第１駆動信号に応答して画像を表示する。第２表示パネルは、ベース基板の第１面上に具備され、第２駆動信号に応答して画像を表示する。
【００１０】
本発明の別の特徴による表示装置は、印刷回路基板、駆動回路、第１表示パネル、第２表示パネル、及びカメラ部を含む。
印刷回路基板は、ベース基板、フリップチップ、及び導電性接着部材を備え、第１制御信号及び第２制御信号を出力する。フリップチップは、ベース基板との間に介在する接着部材によってベース基板の第１面上に固定される。
【００１１】
駆動回路は、第１制御信号に応答して第１駆動信号又は第２駆動信号を出力する。第１表示パネルは、ベース基板の第１面と反対の側の第２面上に具備され、第１駆動信号に応答して画像を表示する。第２表示パネルは、ベース基板の第１面上に具備され、第２駆動信号に応答して画像を表示する。カメラ部は、ベース基板の第２面上に具備され、第２制御信号に応答して動作する。
【発明の効果】
【００１２】
このような表示装置によると、フリップチップは、ベース基板の第１面との間に介在する接着部材によってベース基板の第１面上に第２表示パネルと共に実装され、それによってフリップチップのサイズが減少され、その結果として、印刷回路基板内に第２表示パネルを実装可能な空間が増加される。
【発明を実施するための最良の形態】
【００１３】
以下、添付した図面を参照して本発明の望ましい実施例をより詳細に説明する。
図１は、本発明の一実施例による液晶表示装置の斜視図であり、図２は、図１に示した液晶表示装置の平面図である。
図１及び図２を参照すると、本発明の一実施例による液晶表示装置１００は、液晶表示パネル１１０、可撓性回路フィルム１４０、印刷回路基板１２０、及び駆動回路１３０を含む。
【００１４】
液晶表示パネル１１０は、薄膜トランジスタ（ＴＦＴ）基板１１１、カラーフィルタ基板１１２、及び液晶層（図示せず）を備える。カラーフィルタ基板１１２は、ＴＦＴ基板１１１に対向して結合され、液晶層は、ＴＦＴ基板１１１とカラーフィルタ基板１１２との間に配される。
【００１５】
図２に示したように、ＴＦＴ基板１１１は、複数のデータライン（ＤＬ１〜ＤＬｍ）、複数のゲートライン（ＧＬ１〜ＧＬｎ）、複数のＴＦＴ１１１ａ及び複数の画素電極を含む。複数のデータライン（ＤＬ１〜ＤＬｍ）は、複数のゲートライン（ＧＬ１〜ＧＬｎ）と互いに絶縁されて交差する。複数のデータライン（ＤＬ１〜ＤＬｍ）と複数のゲートライン（ＧＬ１〜ＧＬｎ）とによって、ＴＦＴ基板１１１にはマトリクス形態に複数の画素領域が定義される。複数の画素領域には複数のＴＦＴ１１１ａがそれぞれ具備される。各ＴＦＴ１１１ａのソース端子及びゲート端子には、それぞれ対応するデータライン及びゲートラインが接続され、ドレイン端子には、対応する画素電極が接続される。
【００１６】
カラーフィルタ基板１１２は、赤色、緑色、及び青色用の画素（図示せず）が薄膜工程によって形成された基板であり、カラーフィルタ基板１１２の全面には共通電極（図示せず）が形成されている。共通電極は、液晶層を間にして複数の画素電極と向い合う。したがって、複数のＴＦＴ（１１１ａ）のドレイン電極には画素電極、液晶層、及び共通電極によって定義された液晶キャパシタ１１１ｂが接続される。
【００１７】
印刷回路基板１２０は、ベース基板１２１、及びベース基板１２１上に具備される各種の素子で構成される。各種の素子にはフリップチップ１２２が含まれる。フリップチップ１２２が接着部材（図示せず）によってベース基板１２１に実装される過程は、図３乃至図５ａを参照して具体的に説明する。
【００１８】
印刷回路基板１２０は、外部から各種の信号の入力を受け、各種の信号に応答して各種の制御信号を出力する。本発明において、フリップチップ１２２はグラフィックコントロールチップであって、液晶表示パネル１１０を駆動するのに必要な画像信号（ＤＡＴＡ）、ゲートクロック信号（ＧＣＫ）及びデータクロック信号（ＤＣＫ）を出力する。
【００１９】
可撓性回路フィルム１４０は、印刷回路基板１２０と液晶表示パネル１１０との間に具備される。可撓性回路フィルム１４０の第１端部は、印刷回路基板１２０に取り付けられ、第１端部と反対の側の第２端部は液晶表示パネル１１０に取り付けられる。可撓性回路フィルム１４０は、印刷回路基板１２０から出力された各種の制御信号を液晶表示パネル１１０に伝送する。
【００２０】
駆動回路１３０は、液晶表示パネル１１０にデータ信号を提供するデータ駆動回路１３１及び液晶表示パネル１１０にゲート信号を提供するゲート駆動回路１３２を備える。
【００２１】
データ駆動回路１３１は、チップ内に装備され、液晶表示パネル１１０のうちのＴＦＴ基板１１１に実装される。したがって、可撓性回路フィルム１４０を通じて液晶表示パネル１１０に提供された画像信号（ＤＡＴＡ）及びデータクロック信号（ＤＣＫ）に応答してデータ信号を出力する。出力されたデータ信号は、ＴＦＴ基板１１１に具備された複数のデータライン（ＤＬ１〜ＤＬｍ）に提供される。
【００２２】
ゲート駆動回路１３２は、薄膜工程を通じてＴＦＴ１１１ａと同時にＴＦＴ基板１１１に形成されることによって、液晶表示パネルに形成される。ゲート駆動回路１３２は、可撓性回路フィルム１４０を通じて液晶表示パネル１１０に提供されたゲートクロック信号（ＧＣＫ）及びオン／オフ電圧（Ｖｏｎ／Ｖｏｆｆ）に応答してゲート信号を出力する。出力されたゲート信号は、ＴＦＴ基板１１１に具備された複数のゲートライン（ＧＬ１〜ＧＬｎ）に順次提供される。
【００２３】
図３は、図１に示したベース基板とフリップチップとの結合過程を示した斜視図であり、図４は、図１に示したフリップチップの背面図であり、図５は、図３に示したＩ−Ｉ’に沿って見た断面図である。
【００２４】
図３を参照すると、ベース基板１２１には、フリップチップ１２２が実装される実装領域（ＭＡ）が準備される。ベース基板の実装領域（ＭＡ）内には、フリップチップ１２２から各種の制御信号の入力を受ける複数の入力パッド１２１ａが形成される。本発明の一実施例において、実装領域（ＭＡ）は、フリップチップ１２２に対応する大きさで形成され、複数の入力パッド１２１ａは、実装領域（ＭＡ）内で２列のループ形状に形成される。
【００２５】
図４に示したように、フリップチップ１２２の背面（ＢＳ）（入力パッド１２１ａの方へ向いた面）には、複数の第１出力パッド１２２ａ、複数の再配置ライン（第１出力パッドが第２出力パッドとして再配置されるために必要なライン）１２２ｂ、第２出力パッド１２２ｄ、及び複数のバンプ１２２ｃが具備される。複数の第１出力パッド１２２ａは、フリップチップ１２２から各種の制御信号が出力される部分である。複数の第１出力パッド１２２ａは、背面の縁部に沿って一列に配列される。
【００２６】
複数の第２出力パッド１２２ｄは、複数の第１出力パッド１２２ａによって定義された領域内に具備され、その領域内で、複数の第１出力パッド１２２ａが配された列に沿って２列に配列される。複数のバンプ１２２ｃは、複数の第２出力パッド１２２ｄ上に具備され、背面（ＢＳ）から所定の高さに突出している。複数のバンプ１２２ｃは、複数の第２出力パッド１２２ｄより小さいサイズを有する。本発明の一実施例において、複数の第１出力パッド１２２ａは互いに隣接する第１出力パッドと第１間隔（ｄ１）を維持し、複数のバンプ１２２ｃは、互いに隣接するバンプと第１距離（ｄ１）より大きい第２間隔（ｄ２）を維持する。なお、複数のバンプ１２２ｃ間の距離が一定ではない構成も可能である。
【００２７】
複数の再配置ライン１２２ｂは、複数の第１出力パッド１２２ａと複数の第２出力パッド１２２ｄとの間の領域を通るように配置される。複数の第１出力パッドは、フリップチップのエッジに沿って一列に配置され、複数の第２出力パッドは、複数の第１出力パッドよりフリップチップの内側に具備され、二列に配置される。また、第１出力パッドは第１間隔に離隔され、第２出力パッドは第１間隔より大きい第２間隔に離隔される。第１出力パッドは、複数の再配置ラインによって第２出力パッドと電気的に接続され、複数の再配置ラインは、第２出力パッドの間を通過するように配置される。複数の第１出力パッド１２２ａのそれぞれは、対応する第２出力パッド１２２ｄと、ライン１２２ｂによって互いに電気的に接続される。
【００２８】
図３及び図５に示したように、フリップチップ１２２とベース基板１２１との間には、接着部材の一つである異方性導電フィルム１２３が配置される。異方性導電フィルム１２３は、熱硬化性樹脂１２３ａ、及び熱硬化性樹脂１２３ａ内に不規則的に分布される複数の導電粒子１２３ｂを備える。複数の導電粒子１２３ｂは小さい球形状を有する。
【００２９】
外部から加えられた圧力によって、フリップチップ１２２とベース基板１２１との距離が狭くなる。したがって、フリップチップ１２２とベース基板１２１との間に介在する複数の導電粒子１２３ｂは、フリップチップ１２２の複数のバンプ１２２ｃと、ベース基板１２１の複数の入力パッド１２１ａとを電気的に接続させる。また、熱硬化性樹脂１２３ａは外部から加えられた熱によって硬化され、フリップチップ１２２をベース基板１２１の実装領域（ＭＡ）に固定させる。
【００３０】
フリップチップ１２２の背面（ＢＳ）は、複数の第１出力パッド１２２ａ、複数の第２出力パッド１２２ｄ、及び複数の再配置ライン１２２ｂをカバーする絶縁膜１２２ｅを更に具備することができる。絶縁膜１２２ｅは、複数の第１出力パッド１２２ａ、複数の第２出力パッド１２２ｄ、及び複数の再配置ライン１２２ｂを電気的に絶縁させる。絶縁膜１２２ｅには、複数の第２出力パッド１２２ｄ上に具備された複数のバンプ１２２ｃを露出させるための複数のコンタクトホール１２２ｆが形成される。したがって、複数のコンタクトホール１２２ｆを通じて露出された複数のバンプ１２２ｃは、異方性導電フィルム１２３によってベース基板１２１の複数の入力パッド１２１ａと電気的に接続することができる。
【００３１】
また、本発明の一実施例において、複数の第１出力パッド１２２ａ上には、フリップチップ１２２のテストのための複数のテストバンプ１２２ｇが更に形成される。ここで、複数のテストバンプ１２２ｇは、複数の第１出力パッド１２２ａより小さいサイズを有する。
【００３２】
図６は、本発明の他の実施例による接着部材を示した断面図である。
図６を参照すると、本発明の他の実施例による接着部材１２４は、複数の金属膜１２４ａ及びエポキシ樹脂１２４ｂを含む。複数の金属膜１２４ａは、ベース基板１２１の複数の入力パッド１２１ａ又はフリップチップ１２２の複数のバンプ１２２ｃの上面にメッキにより形成される。本発明の一例として、複数の金属膜１２４ａは、適当に低い温度で解けるスズのような金属物質からなる。
【００３３】
エポキシ樹脂１２４ｂは、フリップチップ１２２とベース基板１２１との間に配置され、熱と圧力によって硬化され、フリップチップ１２２をベース基板１２１に固定させる。
【００３４】
熱と圧力によってフリップチップ１２２がベース基板１２１に固定されると、複数の金属膜１２４ａと、フリップリップ１２２に形成された複数のバンプ１２２ｃとは電気的に接続される。本発明の一例として、複数のバンプ１２２ｃは金を含む。
【００３５】
図７は、本発明の他の実施例によるデュアルパネル型液晶表示装置の分解斜視図であり、図８は、図７に示したデュアルパネル型液晶表示装置の断面図である。
図７及び図８を参照すると、デュアルパネル型液晶表示装置７００は、メイン表示モジュール５００及びサブ表示モジュール６００を含む。メイン表示モジュール５００は、メイン液晶表示パネル１１０及びバックライトアセンブリ４００を備える。バックライトアセンブリ４００は光を発生し、メイン液晶表示パネル５００はバックライトアセンブリ４００上に具備され、そこからの光を用いて画像を表示する。
【００３６】
バックライトアセンブリ４００は、光源２１０、導光板２２０、第１フレーム３１０及びボトムシャーシ３２０を含む。光源２１０は、発光ダイオード（ＬＥＤ）のような点状光源を備え、光を発生する。導光板２２０は、光源２１０から発生された光を側面２２１から入力されて前面２２２へ射出する。
【００３７】
導光板２２０の前面２２２の上部には第１光学シート類２３０が具備され、導光板２２０の後面２２３の下部には反射シート２４０が具備される。第１光学シート類２３０は、光を拡散する拡散シートと光を集光する少なくとも１枚のプリズムシートとで構成することができる。したがって、第１光学シート２３０は、導光板２２０の前面２２２から出力された光の輝度及び視野角を向上させることができる。反射シート２４０は、導光板２２０の後面２２３から漏洩した光を反射させ、バックライトアセンブリ４００の光効率を向上させることができる。
【００３８】
第１フレーム３１０は、第１乃至第４側壁３１１、３１２、３１３、３１４で構成され、四角のフレームの形状を有する。第１側壁３１１には、光源２１０を収納する第１収納空間３１１ａが形成される。第１乃至第４側壁３１１、３１２、３１３、３１４は、導光板２２０の側面２１１と向い合って導光板２２０の収納位置を画定する。
【００３９】
ボトムシャーシ３２０は、底面３２１、及び底面３２１から延びた第５乃至第８側壁３２２、３２３、３２４、３２５で構成され、第１フレーム３１０と結合する。第５乃至第８側壁３２２、３２３、３２４、３２５は、メイン表示モジュール５００が組み立てられたときに、導光板１２０の第１乃至第４側壁３１１、３１２、３１３、３１４と向い合う。第１乃至第４側壁３１１、３１２、３１３、３１４の外面から所定の高さで突出した結合用の突起が、第５乃至第８側壁３２２、３２３、３２４、３２５に形成された結合用の溝に挿入されることによって、第１フレーム３１０とボトムシャーシ３２０が結合される。
【００４０】
底面３２１と第５乃至第８側壁３２２、３２３、３２４、３２５によって定義された収納空間には、光源２１０、反射板２４０、導光板２２０、及び第１光学シート２３０が順次収納される。
【００４１】
メイン液晶表示パネル１１０の一側には第１可撓性回路フィルム１４０の第１端部が取り付けられ、第１可撓性回路フィルム１４０の第２端部には印刷回路基板１２０が取り付けられる。印刷回路基板１２０は、第１可撓性回路フィルム１４０を曲げることによって、ボトムシャーシ３２０の背面側に配置される。
【００４２】
サブ表示モジュール６００は、サブ液晶表示パネル６１０、第２フレーム６３０、第２光学シート６３５、及び第２可撓性回路フィルム６２０を含む。サブ液晶表示パネル６１０は、サブＴＦＴ基板６１１、サブカラーフィルタ基板６１２及びサブ液晶層（図示せず）を備える。サブカラーフィルタ基板６１２は、サブＴＦＴ基板６１１と向い合って結合し、サブ液晶層は、前記サブＴＦＴ基板６１１とサブカラーフィルタ基板６１２との間に配置される。
【００４３】
第２フレーム６３０は、光ガイド部６３１及び側壁部６３２を備える。光ガイド部６３１は、サブ光源６５０から光の入力を受けてサブ液晶表示パネル６１０側に光を射出する。第２フレーム６３０には光ガイド部６３１に隣接してサブ光源６５０を収納するサブ収納溝６３０ａが形成される。サブ光源６５０は印刷回路基板１２０の第１面１２０ｂに固定される。
【００４４】
側壁部６３２は、光ガイド部６３１から延び、この側壁部６３２によって光ガイド部６３１の上部にサブ収納空間が形成される。サブ収納空間には、第２光学シート６３５が収納される。本発明の一実施例では、第２フレーム６３０はポリカーボネート（ＰＣ）のような透明な材質からなる。
【００４５】
サブ液晶表示パネル６１０は、第２光学シート６３５上に装着され、この第２光学シート６３５によって輝度及び視野角が向上された光の入力を受けて画像を表示する。
【００４６】
印刷回路基板１２０の第２面１２０ａは、ボトムシャーシ３２０の背面と向い合い、第１面１２０ｂ上には、サブ表示モジュール６００が具備される。第２フレーム６３０は、ボトムシャーシ３２０と結合して、サブ表示モジュール６００を印刷回路基板１２０の第１面１２０ｂ上に固定させる。
【００４７】
第２フレーム６３０は、側壁部６３２の選択された部分から突出した第１固定突起６３３及び第２固定突起６３４を更に含む。一方、ボトムシャーシ３２０の第７側壁３２４及び第８側壁３２５には、第１固定溝３２４ａ及び第２固定溝３２５ａがそれぞれ形成される。第１固定突起６３３及び第２固定突起６３４が第１固定溝３２４ａ及び第２固定溝３２５ａに挿入されることによって、サブ表示モジュール６００は印刷回路基板１２０の第１面１２０ｂ上に固定される。
【００４８】
メイン表示モジュール５００は、メイン液晶表示パネル１１０がバックライトアセンブリ４００から離れることを防止するためにボトムシャーシ３２０と対向して結合するメイントップシャーシ５１０を更に具備する。サブ表示モジュール６００は、サブ液晶表示パネル６１０が第２フレーム６３０から離れることを防止するために第２フレーム６３０と対向して結合するサブトップシャーシ６４０を更に含む。
【００４９】
図７に示したように、本発明の一実施例において、メイン液晶表示パネル１１０のサイズはサブ液晶表示パネル６１０のサイズより大きく設定される。しかし、メイン液晶表示パネル１１０のサイズは、サブ液晶表示パネル６１０のサイズと同一に設定することもできる。
【００５０】
図９は、図８に示したデュアルパネル型液晶表示装置の平面図であり、図１０は、図９に示したデュアルパネル型液晶表示装置のブロック図である。
図９及び図１０を参照すると、メイン液晶表示パネル１１０は、ＴＦＴ基板１１１とカラーフィルタ基板１１２とを備える。ＴＦＴ基板１１１の第１表示領域（ＤＡ１）には、複数のゲートライン（ＧＬ１〜ＧＬｎ）及び複数のデータライン（ＤＬ１〜ＤＬｍ）が具備される。複数のデータライン（ＤＬ１〜ＤＬｍ）の一端部が配されている第１周辺領域（ＰＡ１）には、データ駆動回路１３１がチップ内に装備されて実装される。複数のゲートライン（ＧＬ１〜ＧＬｎ）の一端部が配されている第２周辺領域（ＰＡ２）には、ゲート駆動回路１３２が薄膜工程を通じて形成される。
【００５１】
一方、サブ液晶表示パネル６１０は、サブＴＦＴ基板６１１とサブカラーフィルタ基板６１２とを備える。サブＴＦＴ基板６１１の第２表示領域ＤＡ２には、複数のサブゲートライン（ＳＧＬ１〜ＳＧＬｎ）と複数のサブデータライン（ＳＤＬ１〜ＳＤＬｍ）とが具備される。複数のサブデータライン（ＳＤＬ１〜ＳＤＬｍ）の一端部が配されている第３周辺領域（ＰＡ３）には、サブデータ駆動回路６４１がチップ内に装備され実装される。複数のサブゲートライン（ＳＧＬ１〜ＳＧＬｎ）の一端部が配されている第４周辺領域（ＰＡ４）には、サブゲート駆動回路６４２が薄膜工程を通じて形成される。
【００５２】
印刷回路基板１２０の第２面１２０ｂ上には、フリップチップ１２２とサブ表示モジュール６００（図７に図示）とが実装される。フリップチップ１２２は図３乃至図５に示された過程を通じて第２面１２０ｂ上に固定される。フリップチップ１２２が前記の方法で第２面１２０ｂ上に実装されることによって、印刷回路基板１２０にサブ表示モジュール６００が実装可能な空間を十分確保することができる。
【００５３】
印刷回路基板１２０上には第１コネクター６２１が具備され、第２可撓性回路フィルム６２０は、第１コネクター６２１とサブ液晶表示パネル６１０との間に具備される。第２可撓性回路フィルム６２０の第１端部は第１コネクター６２１に締結され、第２端部はサブ液晶表示パネル６１０に取り付けられる。このように、印刷回路基板１２０は、第２可撓性回路フィルム６２０によってサブ液晶表示パネル６１０と電気的に接続される。
【００５４】
本発明の一実施例において、フリップチップ１２２は、外部から提供された外部制御信号（ＥＣ）に応答して、第１画像信号（ＤＡＴＡ１）及び第２画像信号（ＤＡＴＡ２）、第１ゲート制御信号（ＧＣＫ１）及び第２ゲート制御信号（ＧＣＫ２）、第１データ制御信号（ＤＣＫ１）及び第２データ制御信号（ＤＣＫ２）を出力するグラフィックコントロールチップとして構成される。
【００５５】
フリップチップ１２２から出力された第１画像信号（ＤＡＴＡ１）と第１データ制御信号（ＤＣＫ１）とは、第１可撓性回路フィルム１４０を通じてデータ駆動回路１３１に提供される。データ駆動回路１３１は、第１画像信号（ＤＡＴＡ１）と第１データ制御信号（ＤＣＫ１）とに応答して、複数のデータライン（ＤＬ１〜ＤＬｍ）に第１データ信号を出力する。オン／オフ電圧（Ｖｏｎ／Ｖｏｆｆ）とフリップチップ１２２から出力された第１ゲート制御信号（ＧＣＫ１）とは、第１可撓性回路フィルム１４０を通じてゲート駆動回路１３２に提供される。ゲート駆動回路１３２はオン／オフ電圧（Ｖｏｎ／Ｖｏｆｆ）と第１ゲート制御信号（ＧＣＫ１）に応答して、複数のゲートライン（ＧＬ１〜ＧＬｎ）に第１ゲート信号を順次出力する。このようにして、メイン液晶表示パネル１１０は、第１データ信号と第１ゲート信号とに応答して画像を表示する。
【００５６】
一方、フリップチップ１２２から出力された第２画像信号（ＤＡＴＡ２）と第２データ制御信号（ＤＣＫ２）とは第２可撓性回路フィルム６２０を通じてサブデータ駆動回路６４１に提供される。サブデータ駆動回路６４１は、第２画像信号（ＤＡＴＡ２）と第２データ制御信号（ＤＣＫ２）とに応答して、複数のサブデータライン（ＳＤＬ１〜ＳＤＬｍ）に第２データ信号を出力する。オン／オフ電圧（Ｖｏｎ／Ｖｏｆｆ）とフリップチップ１２２から出力された第２ゲート制御信号（ＧＣＫ２）とは、第２可撓性回路フィルム６２０を通じてサブゲート駆動回路６４２に提供される。サブゲート駆動回路６４２は、オン／オフ電圧（Ｖｏｎ／Ｖｏｆｆ）と第２ゲート制御信号（ＧＣＫ２）とに応答して複数のサブゲートライン（ＳＧＬ１〜ＳＧＬｎ）に第２ゲート信号を順次出力する。このようにして、サブ液晶表示パネル６１０は、第２データ信号と第２ゲート信号とに応答して画像を表示する。
【００５７】
図１１は、本発明の別の実施例によるデュアル型液晶表示装置の平面図である。図１１において、図９に示した構成要素と同じ構成要素に対しては同じ参照符号を付与しており、それらの構成要素に関する具体的な説明は省略する。
【００５８】
図１１を参照すると、本発明の別の実施例によるデュアルパネル型液晶表示装置はカメラモジュール８００を更に含む。カメラモジュール８００は、カメラ部８１０、第２コネクター８２０及び第３可撓性回路フィルム８３０を備える。
【００５９】
印刷回路基板１２０の第２面１２０ｂに実装されたフリップチップ１２２は、カメラ部８１０を駆動させるカメラ制御信号を出力する。第２コネクター８２０は第２面１２０ｂ上に具備され、フリップチップ１２２からカメラ制御信号の入力を受ける。第３可撓性回路フィルム８３０の第１端部は、第２コネクター８２０に締結され、第２端部はカメラ部８１０に取り付けられる。このようにして、第３可撓性回路フィルム８３０はカメラ制御信号をカメラ部８１０に提供する。
【００６０】
本発明の一実施例において、印刷回路基板１２０の第１面１２０ｂ上にはフリップチップ１２２、サブ表示モジュール６００（図７に図示）及びカメラモジュール８００が実装される。ここで、フリップチップ１２２は図３乃至図５に示した過程を通じて第１面１２０ｂ上に固定される。フリップチップ１２２が前述の方法で第１面１２０ｂ上に実装されることによって、印刷回路基板１２０に、サブ表示モジュール６００とカメラモジュール８００とが実装可能な空間を十分確保することができる。
【００６１】
このような表示装置の構成によると、フリップチップにはバンプが形成され、バンプに対応してベース基板には入力パッドが形成され、バンプと入力パッドとは接着部材によって電気的に接続される。したがって、印刷回路基板に実装されるチップサイズを減少させることができ、チップの実装に必要な面積を低減できる。
【００６２】
フリップチップと第２表示パネルとがベース基板の同じ面に実装される場合、フリップチップの実装空間が低減される分だけ印刷回路基板に第２表示パネルが実装可能な空間を十分確保することができる。
【００６３】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【００６４】
【図１】本発明の一実施例による液晶表示装置の斜視図である。
【図２】図１に示した液晶表示装置の平面図である。
【図３】図１に示したベース基板とフリップチップとの結合過程を示した斜視図である。
【図４】図１に示したフリップチップの背面図である。
【図５】図３に示したＩ−Ｉ’に沿った断面図である。
【図６】本発明の他の実施例による接着部材を示した断面図である。
【図７】本発明の他の実施例によるデュアルパネル型液晶表示装置の分解斜視図である。
【図８】図７に示したデュアルパネル型液晶表示装置のＩＩ−ＩＩ’に沿った断面図である。
【図９】図７に示したデュアルパネル型液晶表示装置の平面図である。
【図１０】図９に示したデュアルパネル型液晶表示装置のブロック図である。
【図１１】本発明の別の実施例によるデュアルパネル型液晶表示装置の平面図である。
【符号の説明】
【００６５】
１００    液晶表示装置
１１０    液晶表示パネル
１２０    印刷回路基板
１２１    ベース基板
１２１ａ    入力パッド
１２２    フリップチップ
１２２ａ    第１出力パッド
１２２ｂ    再配置ライン
１２２ｃ    バンプ
１２２ｄ    第２出力パッド
１２２ｅ    絶縁膜
１２３    異方性導電フィルム
１４０    可撓性回路フィルム
２１０    光源
２２０    導光板
３１０    第１フレーム
３２０    ボトムシャーシ
４００    バックライトアセンブリ
５００    メイン表示モジュール
６００    サブ表示モジュール
６１０    サブ液晶表示パネル
６３０    第２フレーム
６４０    サブ可撓性回路フィルム
７００    デュアルパネル型液晶表示装置
【図１】
2006215516.tif 000003
【図２】
2006215516.tif 000004
【図３】
2006215516.tif 000005
【図４】
2006215516.tif 000006
【図５】
2006215516.tif 000007
【図６】
2006215516.tif 000008
【図７】
2006215516.tif 000009
【図８】
2006215516.tif 000010
【図９】
2006215516.tif 000011
【図１０】
2006215516.tif 000012
【図１１】
2006215516.tif 000013